(57)【特許請求の範囲】
【請求項１】
収納庫等の家具を載置するベース本体のレベル調整装置であって、前記ベース本体の枠体内の隅部近傍に、装着穴が垂直に貫通形成された水平の支持部材を固設する一方、中央部に垂直に貫通形成されたネジ穴および下方に水平方向に張り出す肩部を備えた装着部材と、該装着部材のネジ穴に螺合し上端にレンチ装着部が形成された調整ネジと、該調整ネジの下端に相対的に回転可能に連結された着床部材とにより調整機構を構成するとともに、該調整機構の前記装着部材を前記支持部材の装着穴に対し相対的回転を拘束し且つその肩部上面が支持部材下面に当接する形態で脱着可能に嵌合装着し、前記装着部材には、その下端から下方に向けて突出し且つ先端がベース本体下面とほぼ同レベルに達する少なくとも１つ以上のアーム部材が形成されるとともに、調整ネジの旋転作用で着床部材が床面に向けて降下して着床するまでの間は着床部材の側端と当接するか或いは着床部材に形成した貫通孔に係合して着床部材の回転を阻止するように構成してなる、収納庫等のレベル調整装置。
【請求項２】
前記収納庫等のレベル調整装置において、調整機構の装着部材が、支持部材の装着穴への装着部側面に、その側面から突出して支持部材の装着穴の端縁と重なり且つ内方に押すと前記側面よりも内方に押し込み可能に突出付勢された係止爪を備えるとともに、該係止爪の下端と装着部材肩部上面との隙間が支持部材の下面部材の厚さとほぼ等しくなるように形成されてなる、請求項１に記載の収納庫等のレベル調整装置。
【請求項３】
前記収納庫等のレベル調整装置において、調整機構の装着部材が、中央部に垂直に貫通するネジ穴形成部を有し、該ネジ穴形成部の側方には垂直の左右側壁および垂直の前後端面と、また下端には前記垂直の左右側壁または前後端面から水平方向に張り出す肩部がそれぞれ形成されるとともに、前記前後端面には肩部よりも上方において前後端面からそれぞれ突出し且つ内方に押すと前後端面よりも内方に押し込み可能に突出付勢された１対の係止爪を備えた構成からなり、一方、ベース本体内の支持部材に形成する装着穴は、前記装着部材の左右側壁と前後端面がそれぞれ接し且つ端縁部が係止爪先端と重なる形態を有し、且つ、前記装着部材の係止爪下端と肩部上面との隙間が支持部材の下面部材の厚さとほぼ等しくなるように形成されてなる、請求項１に記載の収納庫等のレベル調整装置。
【請求項４】
前記収納庫等のレベル調整装置において、調整機構の着床部材には、アンカーボルト打設等の床面への固定手段を備えてなる、請求項２又は３に記載の収納庫等のレベル調整装置。
【発明の詳細な説明】
【０００１】
【発明の属する技術分野】
本発明は、収納庫等の家具を載置するベース本体のレベルを調整する技術に関し、更に詳しくは、収納庫等の家具を水平または背面の壁側に僅かに傾けて設置し、且つ地震発生時には移動または転倒しないよう支持固定する収納庫等のレベル調整装置に関するものである。
【０００２】
【従来の技術】
収納庫等の家具を設置する場合、従来はベース本体を床面に置き、その上に収納庫等の家具を載置するか、或いは、床面に凹凸があったり傾斜している場合は、床面とベース本体下面との間に高さ調整用シムプレートなどを挿入してレベル調整を行っていた。またこれとは別にレベル調整装置としては、例えば実開平７−３６７７５公報に掲載された保管庫等のベース用アジャスターが知られている。前記公報に示されたベース用アジャスターは、ベース本体内の前後方向に掛け渡した渡し板の底部にナットを溶接等で固設する一方、Ｌ字状に折り曲げた立ち上がり部を有する幅広部材をボルト下端に回転自在に取り付けてなるアジャスターのボルトを前記ナットに螺合させるとともに、立ち上がり部を渡し板の側面に沿って平行に位置させて幅広部材が回転しないように構成されている。
【０００３】
前記のベース用アジャスターは、渡し板にナットを溶接または接着する際にネジ部への溶融金属やフラックスのはみ出しや付着、または接着剤のはみ出しや付着などが起こりやすく、また、ナットの変形，偏芯，傾きなどが起こる場合もあり、ナット取付後のネジ部の検査が必要で、その結果タップ立て修正作業やナットの付け直し作業が必要となる場合もあり、またこの方式の場合、設置現場でのナット取付は困難なため、レベル調整装置の要否に拘わらず工場出荷前にベース本体にナットを取り付けておく必要があるなど、製作コストが高いといった問題がある。
【０００４】
【発明が解決しようとする課題】
前述の状況に鑑み本発明が解決しようとするところは、予め組み立てられ完成状態の調整機構を、収納庫等の家具を設置する現場の状況に合わせ、ベース本体に容易に着脱可能で且つ無駄のない合理的なレベル調整装置を提供することであり、ベース本体のレベル調整が必要な隅部に対してのみ選択的にワンタッチで装着して簡単且つ容易にレベル調整を行うことが可能で、更に、必要な場合にはベース本体を床面に固定することもできる、機能的な収納庫等のレベル調整装置を提供することにある。
【０００５】
【課題を解決するための手段】
前述の課題解決のため、本発明の収納庫等の家具のレベル調整装置は以下のように構成した。即ち、収納庫等を載置するベース本体の枠体内の隅部近傍に、装着穴が垂直に貫通形成された水平の支持部材を固設する一方、中央部に垂直に貫通形成されたネジ穴および下方に水平方向に張り出す肩部を備えた装着部材と、該装着部材のネジ穴に螺合し上端にレンチ装着部が形成された調整ネジと、該調整ネジの下端に相対的に回転可能に連結された着床部材とにより調整機構を構成するとともに、該調整機構の前記装着部材を前記支持部材の装着穴に対し相対的回転を拘束し且つその肩部上面が支持部材下面に当接する形態で脱着可能に嵌合装着し、前記装着部材には、その下端から下方に向けて突出し且つ先端がベース本体下面とほぼ同レベルに達する少なくとも１つ以上のアーム部材が形成されるとともに、調整ネジの旋転作用で着床部材が床面に向けて降下して着床するまでの間は着床部材の側端と当接するか或いは着床部材に形成した貫通孔に係合して着床部材の回転を阻止するように構成する。
【０００６】
更に、前記調整機構の装着部材には、支持部材への係止機構を備えると一層好都合である。この係止機構について具体例としては、支持部材の装着穴への装着部側面に、その側面から突出して支持部材の装着穴の端縁と重なり且つ内方に押すと前記側面よりも内方に押し込み可能に突出付勢された係止爪を備えるとともに、該係止爪の下端と装着部材肩部上面との隙間が支持部材の下面部材の厚さとほぼ等しくなるように形成する。
【０００７】
前記調整機構の装着部材に関し、更に具体的には、中央部に垂直に貫通するネジ穴形成部を有し、該ネジ穴形成部の側方には垂直の左右側壁および垂直の前後端面と、また下端には前記垂直の左右側壁または前後端面から水平方向に張り出す肩部をそれぞれ形成するとともに、前記前後端面には肩部よりも上方において前後端面からそれぞれ突出し且つ内方に押すと前後端面よりも内方に押し込み可能に突出付勢された１対の係止爪を備える構成にするとよい。一方、ベース本体内の支持部材に形成する装着穴については、前記装着部材の左右側壁と前後端面がそれぞれ接し且つ端縁部が係止爪先端と重なる形態とする。そして前記装着部材の係止爪下端と肩部上面との隙間が支持部材の下面部材の厚さとほぼ等しくなるように形成する。
【０００８】
上記の基本構成および具体的構成のいずれにおいても、調整機構は、装着部材と調整ネジと着床部材とを予め組み立てた状態にて、ベース本体のレベル調整が必要な隅部の装着穴に対してのみ選択的にワンタッチで装着することができ、或いは不要な箇所は簡単に取り外しができ、且つ簡単な操作でレベル調整を行うことができ、機能的且つ合理的なレベル調整機構とベース本体とを低コストで提供する手段である。
【００１０】
なお、調整機構の着床部材には、アンカーボルト打設等の床面への固定手段を備えると都合がよい。着床部材を床面に固定すると、前記の係止機構との協働作用で、地震発生時にも収納庫等の移動や転倒を防止する手段となる。
【００１１】
【発明の実施の形態】
つぎに本発明の実施の形態を添付図面に基づき更に詳細に説明するが、本発明は、添付図面に限定されず特許請求の範囲に記載の要件を満たす実施形態の全てを含むものである。図１から図３に本発明に係る収納庫等のレベル調整装置の実施例を示し、図１の（ａ）は中央で断面にした正面、（ｂ）はその後方側面をそれぞれ示し、また、図２は図１のうち調整機構を展開して示す斜視図、図３は図２の調整機構を組み立てて上から見た平面図を示している。
【００１２】
図において、収納庫等のレベル調整装置１は、以下の構成からなる。まずベース本体１５は、周囲を囲む矩形の枠体１６の内部の左右端近傍に水平な下面部材１９を有する断面Ｕ字状の１対の支持部材１７，１７を前後方向に向け固設し、この各支持部材１７の前後端近傍にそれぞれ装着穴１８を垂直に貫通形成して構成する。一方、装着部材３と、装着部材３に螺合した調整ネジ２０と、調整ネジ２０の下端に両者の相対的回転を許容する形態で連結した着床部材２５とにより調整機構２を構成する。そしてこの調整機構２を上記の装着穴１８に対し着脱可能に装着して調整装置全体を構成する。なお、支持部材１７の下面部材１９は、その下面に調整機構２の装着部材３と当接し下方から支持される形態で調整機構２を装着している。
【００１３】
調整機構２の基本構成は以下のとおりである。まず、装着部材３は、垂直の筒状部を中心に置きその前後左右を前後壁６，７と側壁５，５ａとで枠状に囲って一体形成した装着部４ａと、この装着部４ａの下方に装着部４ａの前後左右に一体的に張り出し形成された水平の肩部８とを備え、且つその中心の筒状部にはネジ穴４を垂直に貫通形成して構成する。つぎに、装着部材３のネジ穴４には、ネジ部２１の上端にレンチ装着用の有底六角穴２２と下端に拡径部２３とが形成されてなる調整ネジ２０を螺合させる。そして、調整ネジ２０の下端の拡径部には、水平の周辺部の中央に盛り上がった台座２７を備えてなる着床部材２５の台座２７部を調整ネジ２０との相対的な回転が可能なるように連結する。
【００１４】
なお、装着部材３には、前後壁６，７の外壁面およびその壁面よりそれぞれ前後に張り出す右側壁５，５ａの内側面とで形成される垂直の凹所６ａ，７ａを備えるとともに、凹所６ａ，６ｂには、装着部４ａの前後端面即ち側壁５，５ａの前後端面から突出し且つ内方に押すと前後端面内に押し込み可能に突出付勢された係止爪１２，１２を備えると都合がよい。そして、装着部４ａがベース本体１５の装着穴１８に装着された状態では、係止爪１２，１２の下端と装着部材３の肩部８の上面とが支持部材１７の下面部材１９を上下から挟持するように形成する。
【００１５】
更に、上記の装着部材３の肩部下端９には、その前後端から下方に突出し先端がベース本体１５の下面近傍まで到達する１対の対向アーム部材１３，１３ａを形成するのが都合がよい。このアーム部材１３，１３ａは、その先端で着床部材２５の基板２６の側端を僅かな隙間を介して挟むように構成する。
【００１６】
つぎに、以上の構成からなる収納庫等のレベル調整装置１の各構成要素の詳細構造を順次説明する。まず、ベース本体１５の支持部材１７については、図ではＵ字形の桁部材を枠体１６の内部の左右端に前後方向に掛け渡す形態で枠体１６に固着している。支持部材はレベル調整機構２の調整ネジ２０により下方から押し上げてベース本体１５を水平に調整して支持するための支持部材である。そのため図示の形態に限らず、枠体の隅部に水平の板部材を固設して形成する形態などでもよい。
【００１７】
つぎに支持部材１７に貫通形成する装着穴１８については、調整機構２を構成する装着部材３上部の装着部４ａを下方から上方に向けて挿入し、装着部材３の回転を阻止する形態で支持するためのものである。図示の場合、装着部材３の装着部４ａの平面形状に合わせ、略矩形の装着穴１８の前後端縁には係止爪１２を押し込む案内用切欠１８ａ，１８ａを備えた形状である。これにより、装着部材３を着脱させる際は、装着部本体は装着穴１８に沿って上下移動が可能である。そして装着時には、係止爪１２，１２が通過する際に切欠１８ａ，１８ａが係止爪１２，１２の外端傾斜面（詳細後述）を案内して内方に押し込み、係止爪１２，１２の通過後は係止爪が突出付勢されその先端が切欠１８ａ，１８ａの外側に重なるように位置して支持部材１７の下面部材１９に当接し、装着部材３が抜け落ちないように保持する。つまり、支持部材とそれに垂直に貫通形成された装着穴は、装着部材３の装着部４ａの平面形状に合わせ、装着部材３が回転しないように且つ抜け落ちないように保持できる形態であるとともに、ベース本体１５に載置する収納庫等の家具本体重量と収納物の重量を支えるのに適した形態と強度とを備えたものであれば、図示以外の形態でもよい。
【００１８】
つぎに、装着部材３の各部の詳細構造について説明する。まず装着部４ａは、中央に垂直に貫通するネジ穴４を形成する筒状部と、該筒状部を囲むように筒状部とそれぞれ一体的に配置形成された左右の垂直側壁５，５ａおよびこの側壁の前後端面よりも中心寄りに配置形成され且つ側壁５，５ａ内側面とで前後に垂直の凹所６ａ，７ａを形成する前後壁６，７とで構成される。つぎに肩部８は、装着部４ａの下端に側壁５，５ａおよびその前後端面からそれぞれ水平に外側に張り出し形成する。ただし図示の実施例では、装着部４ａと肩部８とはそれぞれ別体で形成し装着部４ａの下端に肩部８を一体的に嵌合した例を示している。図示の例とは別に、肩部８は装着部４ａと一体成形で形成してもよい。そして装着部４ａの凹所６ａ，７ａは、肩部８に形成された貫通窓を介し肩部８を垂直に貫通させるとともに、肩部下端９の前後端には下方に向け突出する１対の対向アーム部材１３，１３ａを一体形成する。
【００１９】
つぎに係止爪１２については、装着部４ａの凹所６ａ，７ａにこれと一体形成された係止部材１０，１０の中間部前後に形成される。即ち係止部材１０，１０は、前後壁６，７上部を起点として前後壁６，７と平行に凹所６ａ，７ａ内を下方に垂下し先端が肩部下端９から下方に突出する略逆Ｌ字状レバー１１，１１と、レバー１１，１１の中間外端にそれぞれ下方に向けテーパー状に傾斜してせり出し先端が凹所６ａ，７ａの前後端即ち装着部４ａの前後端から突出する係止爪１２，１２とを備えて成る。この係止部材１０，１０は、前後壁６，７に対し前記起点部にて一体形成され、肩部下端９から突出するレバー１１，１１の先端または係止爪１２の外端傾斜面をレバーの弾力性に打ち勝つ力で内方に押すと、レバー１１，１１と前後壁６，７との間の隙間の範囲内で係止爪１２，１２を装着部４ａの前後端よりも内方に押し込みが可能である。
【００２０】
装着部４ａは上記実施例に限らず、適宜の形態でよい。つまり、装着穴１８に対し回転を阻止する形態で装着可能で且つ中心には垂直に貫通するネジ穴４が形成されてなる装着部４ａと、支持部材１７の下面に当接して収納庫等の重量を支える肩部と、この肩部下端９から下方に突出して先端がベース本体１５の下面近傍に至る少なくとも１つ以上のアーム部材を有してなり、全体を一体形成するか、またはそれぞれの部分を組み合わせて一体化して形成すればよい。また、係止爪１２については、上記実施例では装着部４ａと一体的にプラスチックの射出成形で成形する場合を示しているが、これとは別に、装着部（４ａ）に対し、当接部の進出付勢用板バネや適宜のスプリングを介して進退可能に取着する方式でもよい。なお、係止爪１２の下端と肩部８の上面との隙間については、前述のように、ベース本体１５内の支持部材１７の下面部材１９の厚さとほぼ等しくなるように形成する。
【００２１】
つぎに、調整ネジ２０については、中間が装着部材３のネジ穴４に螺合するネジ部２１をほぼ全長に亘って形成し、先端部を細くしてその先端に有底の六角穴２２を形成するとともに、下端は拡径端２３を形成してなり、拡径端２３には着床部材２５を連結する有底のネジ穴が形成されている。つまり調整ネジ２０は、先端を装着部材３のネジ穴４にねじ込んで先端の六角穴２２に六角レンチを装着して旋転し、装着部材３に対し調整ネジを昇降させ、装着部材３に当接する支持部材１７と着床部材２５下面即ち床面との間の高さを調整する部材である。従って、六角穴２２は、調整ネジ先端近傍に水平の穴を形成してその穴にピンやドライバーなどを挿入して旋転する方式に代えてもよいし、先端を９０度水平に倒して旋転する折り曲げ式のレバーを取着した形態にしてもよい。また下端の拡径端２３は、着床部材２５と調整ネジ２０とが相対的回転が可能に連結され、且つ調整ネジ２０に作用する荷重を着床部材２５に伝達できる形態であればよく、その目的を達成するものであれば図示以外の形態でもよい。
【００２２】
つぎに、着床部材２５については、両端が略半円形の横長の基板２６の一方の端部に円錐台状に上方に盛り上がる水平の台座２７を形成し、台座２７の中央には貫通孔を形成するとともに、他方の端部の端縁近傍にはアンカーボルト孔２９を貫通形成してなる下面が水平の部材である。そしてこの着床部材２５は、台座２７の貫通孔と前述の調整ネジ２０の拡径端２３のネジ穴とをあわせ、取付ネジ２８を介し両者が相対的回転可能に連結している。また、必要な場合には、アンカーボルト孔２９にアンカーボルトを通して床面に打設すると、着床部材２５を床面に固着させることも可能としている。そして着床部材２５は、図示の例では、着床部材２５の両側端面が装着部材３の肩部下端９から突出する１対のアーム部材１３，１３ａの内側面と僅かな隙間を隔てて対峙していため、調整ネジ２０が旋転して下降する際にアーム部材１３，１３ａに係止され着床部材が調整ネジとつれ回りしない。つまり、着床部材が床面に着床して更に若干ベース本体１５を押し上げるまではアーム部材に沿って昇降し、連れ回りが拘束されている。そしてアーム部材１３，１３ａの先端が着床部材２５から外れた後は着床部材２５の底面が床面に当接してベース本体１５を押し上げる。その際にはベース本体の重量が作用して床面との摩擦力が作用するのでつれ回りはしない。なお、図示の例では、着床部材２５は取付ネジ２８で調整ネジ２０の拡径端２３に回転可能に取り付けているが、回転を円滑化するため取付ネジ２８をカシメ装着式のピンに置き換えてもよいし、ワッシャを介在させてもよい。
【００２３】
つぎに、以上の構成からなる収納庫等のレベル調整装置１の作用つまり設置調整の手順について説明する。収納庫等を設置する場合、まず予め、着床部材２５を調整ネジ２０の拡径端２３に取付ネジ２８などで取り付けた状態の調整ネジ２０と着床部材２５との一体品を、装着部材３のネジ穴４に螺着させて調整機構２を組み立て、この調整機構２の全長が最も短くなる状態にねじ込んでおく。そして、この調整機構２の装着部材３の上部装着部４ａを、ベース本体１５の支持部材１７の装着穴１８に下方から押し込んで装着部材の肩部８が支持部材１７の下面部材１９に当接するように装着する。この際は単純に押し込むだけで切欠１８ａが係止爪上方のテーパー部を押して係止爪を退動させ容易に装着できる。なお、一旦装着した調整機構２０を取り外したり付け替える際は、装着部材３の肩部可鍛９から突出する係止部材１０のレバー１１先端を指で内方に押すと係止爪１２が装着穴１８の切欠１８ａから離れ容易に脱着できる。
【００２４】
つぎに、ベース本体１５を床面に置き、ベース本体の水平度とベース本体下面と床面との隙間を点検し、ベース本体に隙間のあるコーナーやレベルアップすべき部分の調整機構２について、調整ネジ２０上端の六角穴２２に六角レンチを装着して調整ネジ２０を旋転降下させ、着床部材２５を床面に着床させてベース本体１５を押し上げる。この動作は、調整必要な箇所全てに対して行う。
【００２５】
なお、この作業時には、着床部材２５は基板２６の側端がアーム部材１３，１３ａに当接係合して調整ネジとの連れ回りが拘束されるが、着床後更に調整ネジ２０を旋転降下させると着床部材２５とアーム部材１３，１３ａとの係合が外れる場合もある。その場合は着床部材が既に床面に着床しベース本体１５の重量が作用ているので床面との摩擦作用でつれ回りはしないが、もし、床面の凹凸が大きく連れ回りの恐れのある場合、着床部材２５の基板２６部を踏んで拘束する。
【００２６】
以上の手順でベース本体１５のレベル調整を行うが、更に必要な場合は、着床部材２５のアンカーボルト孔２９に図示しないアンカーボルトを打設する。これにより、ベース本体の移動と浮き上がりを防止することが可能となる。そして以上の手順でベース本体１５を床面に設置し或いは更に固定した後は、その上に収納庫等の家具本体（図示しない）を載置すればよい。なお、ベース本体に収納庫等の家具本体を載置下後は、両者間をネジまたは適宜の連結手段で連結固定するのが好ましい
【００２７】
もし、係止部材１０を備えていない調整機構の場合は、ベース本体１５を設置した際に装着穴１８が位置する床面上の位置に組み立てた状態の調整機構を垂直に配置し、ベース本体をその真上からかぶせるように降下させれば調整機構をベース本体に装着できる。また、アーム部材１３，１３ａを備えていない調整機構の場合は、着床部材２５の基板２６の端部を踏んで回転を拘束すればよい。
【００２８】
【発明の効果】
請求項１〜３の発明に係る収納庫等のレベル調整装置は、装着部材に調整ネジと着床部材を組み付け、調整機構を予め完成した状態で支持部材の装着穴にワンタッチ操作で簡単に着脱可能に構成しているため、装着が容易で、且つ装着後は調整ネジ上端のレンチ装着部にレンチを装着して調整ネジを旋転するだけでレベル調整が行えるので、極めて機能的且つ作業性がよいといった効果がある。そして、装着装置をベース本体に現場で着脱する形態としてベース本体とは別体構成にしたことにより、収納庫等の設置の際にベース本体のレベル調整が必要な隅部のみに選択的に装着してレベル調整をすることが可能であり、不要な箇所は装着部材を簡単に取り外しができるため、無駄が無く、且つベース本体を低コストで製作することができるといった効果がある。
その上、調整機構の装着部材下端から下方に向け突出し先端がベース本体下面とほぼ同レベルに達するアーム部材を形成したことにより、調整ネジを旋転させて着床部材を下降させる際にアーム部材先端が着床部材の側端に引っ掛かり調整ネジとのつれ回りを拘束する。そのため着床部材の姿勢が調整機構を支持部材に装着したときの状態に保たれ、着床時に着床部材の向きを改めて修正する手間が不要で効率的に作業ができるといった効果がある。
【００２９】
更に、この収納庫等のレベル調整装置は、装着部材がプラスチックなどを素材として射出成形で一体成型可能なため低価格で製作が可能である。そしてベース本体への装着も、従来のようにナットを溶接する工程や溶接後のネジ穴の検査や修正作業が不要なため、レベル調整機構とベース本体とをそれぞれ個別に製作することで低コストで提供することが可能である。また、廃棄する際はプラスチック製の装着部材を外して分別廃棄できる。なお、請求項２および３の収納庫等のレベル調整装置については、装着部材に係止部を備えているので取り付けた調整機構が外れて落下することがなく、ベース本体とともに持ち上げて移動する際に便利で作業性がよい。
【００３１】
請求項４に係る発明は、着床部材をアンカーボルト等適宜の固定手段で床に固定することにより、調整機構の装着部材を係止爪を介し支持部材に係止保持することと協働して、ベース本体が浮き上がったり横移動しないように床面に固定されるように構成する。従って、ベース本体上に載置した収納庫等の家具をベース本体にネジなどで固定すると、地震発生時にも移動や転倒を防止することができるといった効果がある。
【図面の簡単な説明】
【図１】本発明に係る収納庫等のレベル調整装置の実施例の図で、（ａ）は中央で断面にした正面図を示し、（ｂ）は後方の側面をそれぞれ示している。
【図２】本発明に係る収納庫等のレベル調整装置の調整機構の実施例を展開して示す斜視図である。
【図３】図２の調整機構を組み立てた状態の平面を示す図である。
【符号の説明】
１  レベル調整装置
２  調整機構
３  装着部材
４  ネジ穴
４ａ  装着部
５，５ａ  側壁
６  前端
６ａ  前端凹所
７  後端
７ａ  後端凹所
８  肩部
９  肩部下端
１０  係止部材
１１  レバー
１２  係止爪
１３，１３ａ  アーム部材
１５  ベース本体
１６  枠体
１７  支持部材
１８  装着穴
１８ａ  切欠
１９  下面部材
２０  調整ネジ
２１  ネジ部
２２  六角穴
２３  拡径端
２５  着床部材
２６  基板
２７  台座
２８  取付ネジ
２９  アンカーボルト孔
【図１】
0004042465.tif 000002
【図２】
0004042465.tif 000003
【図３】
0004042465.tif 000004